(57)【要約】【課題】環境保護に貢献しつつ十分な供給量が可能でかつ消費者に対して違和感なく使用させ得る燃焼材を提供する。【解決手段】盆行事としての迎え火および送り火の少なくとも一方を焚く際に使用可能に構成され、燃焼可能な紙製のシート体における一面２ａにカバノキ科の樹皮の図柄Ｇ１が印刷されている。この場合、シート体における少なくとも一方の面（一面２ａ）に凹凸部を形成することができる。また、切断して複数に分割する際に用いる切断補助用のミシン目２２を形成することができる。【選択図】図１
2011019557.tif 000002
【特許請求の範囲】
【請求項１】
盆行事としての迎え火および送り火の少なくとも一方を焚くための盆行事用燃焼材であって、
燃焼可能な紙製のシート体における少なくとも一方の面に樹皮の図柄が印刷されている盆行事用燃焼材。
【請求項２】
前記図柄としてのカバノキ科の樹皮の図柄が前記少なくとも一方の面に印刷されている請求項１記載の盆行事用燃焼材。
【請求項３】
前記シート体における少なくとも一方の面に凹凸部が形成されている請求項１または２記載の盆行事用燃焼材。
【請求項４】
当該盆行事用燃焼材を切断して複数に分割する際に用いる切断補助用のミシン目が形成されている請求項１から３のいずれかに記載の盆行事用燃焼材。
【請求項５】
前記シート体における少なくとも一方の面に前記図柄が印刷され、当該シート体における他方の面に仏教に関する文字が印刷されている請求項１から４のいずれかに記載の盆行事用燃焼材。
【請求項６】
燃焼前の状態において不可視でかつ燃焼時の熱によって可視化する不可視インクによって前記仏教に関する文字が印刷されている請求項５記載の盆行事用燃焼材。
【発明の詳細な説明】
【技術分野】
【０００１】
本発明は、盆行事としての迎え火や送り火を焚くための盆行事用燃焼材に関するものである。
【背景技術】
【０００２】
盆（お盆）に欠かせない行事として、故人の霊を迎える「迎え火」、および迎えた霊を送る「送り火」が知られている。迎え火・送り火を焚くための燃焼材は、地域によって様々であるが、稲藁、オガラと呼ばれる麻の茎、およびカンバと呼ばれる白樺の樹皮などの天然素材を乾燥させたものが一般的に用いられる。このような燃焼材を一般家庭で調達するのは困難なこともあるため、盆を迎える時期には、製品化された燃焼材が店頭で販売され、消費者がこれらを購入することが一般化している。しかしながら、近年、これらの燃焼材を生産する生産者が減少していることに加えて、天然素材の種類によっては入手が困難なものもあり、需要に見合った供給量を確保できない状況となっている地域がある。また、燃焼材として天然素材を用いることは、環境保護の観点から好ましくない面もある。このような状況下において、天然素材を原料とする燃焼材の代替品となる燃焼材（例えば、特開２０００−２８３６９７号公報に開示されている筒型花火等）が開発されている。
【先行技術文献】
【特許文献】
【０００３】
【特許文献１】特開２０００−２８３６９７号公報（第１−２頁、第１図）
【発明の概要】
【発明が解決しようとする課題】
【０００４】
ところが、既に開発されている上記の燃焼材（代替品）には、以下の課題がある。すなわち、上記の代替品は、火を焚くという点では一定の機能を果たすものの、迎え火・送り火用の燃焼材としては十分に機能しないことがある。具体的には、例えば、樹皮を乾燥させた燃焼材を用いるのが通例となっている地域（例えば、長野県の北部地域）において、上記の代替品を用いて迎え火・送り火を焚くのには違和感があり、儀礼上その地域の風習にそぐわず、消費者には受け入れ難い面がある。
【０００５】
本発明は、かかる問題点に鑑みてなされたものであり、環境保護に貢献しつつ十分な供給量が可能でかつ消費者に対して違和感なく使用させ得る燃焼材を提供することを主目的とする。
【課題を解決するための手段】
【０００６】
上記目的を達成すべく請求項１記載の盆行事用燃焼材は、盆行事としての迎え火および送り火の少なくとも一方を焚くための盆行事用燃焼材であって、燃焼可能な紙製のシート体における少なくとも一方の面に樹皮の図柄が印刷されている。
【０００７】
また、請求項２記載の盆行事用燃焼材は、請求項１記載の盆行事用燃焼材において、前記図柄としてのカバノキ科の樹皮の図柄が前記少なくとも一方の面に印刷されている。
【０００８】
また、請求項３記載の盆行事用燃焼材は、請求項１または２記載の盆行事用燃焼材において、前記シート体における少なくとも一方の面に凹凸部が形成されている。
【０００９】
また、請求項４記載の盆行事用燃焼材は、請求項１から３のいずれかに記載の盆行事用燃焼材において、当該盆行事用燃焼材を切断して複数に分割する際に用いる切断補助用のミシン目が形成されている。
【００１０】
また、請求項５記載の盆行事用燃焼材は、請求項１から４のいずれかに記載の盆行事用燃焼材において、前記シート体における少なくとも一方の面に前記図柄が印刷され、当該シート体における他方の面に仏教に関する文字が印刷されている。
【００１１】
また、請求項６記載の盆行事用燃焼材は、請求項５記載の盆行事用燃焼材において、燃焼前の状態において不可視でかつ燃焼時の熱によって可視化する不可視インクによって前記仏教に関する文字が印刷されている。
【発明の効果】
【００１２】
請求項１記載の盆行事用燃焼材によれば、燃焼可能な紙製のシート体を用いたことにより、入手が困難な天然素材を用いる燃焼材とは異なり、環境保護に貢献しつつ十分な供給量を確保することができる。また、この盆行事用燃焼材によれば、樹皮の図柄をシート体における少なくとも一方の面に印刷したことにより、盆行事用燃焼材の外観を天然の樹皮に近付けることができるため、天然の樹皮を乾燥させた燃焼材を用いるのが通例となっている地域の消費者に対して、この盆行事用燃焼材を違和感なく使用させることができる。
【００１３】
また、請求項２記載の盆行事用燃焼材によれば、カバノキ科の樹皮の図柄をシート体における少なくとも一方の面に印刷したことにより、環境保護の観点から好ましくない面がありかつ入手が困難となりつつあるカバノキ科の樹皮を燃焼材として用いるのが通例となっている地域において、十分な供給量を確保しつつ、その地域の消費者に対してこの盆行事用燃焼材を違和感なく使用させることができると共に、入手が困難となっている樹木の保護に十分に寄与することができる。
【００１４】
また、請求項３記載の盆行事用燃焼材によれば、シート体における少なくとも一方の面に凹凸部を形成したことにより、盆行事用燃焼材の手触りを天然の樹皮の手触りに近付けることができるため、消費者に対してこの盆行事用燃焼材を一層違和感なく使用させることができる。
【００１５】
また、請求項４記載の盆行事用燃焼材によれば、切断補助用のミシン目を形成したことにより、ミシン目を境にして、一方の半体を他方の半体から引き離すことで、盆行事用燃焼材を容易に二分割することができるため、１枚の盆行事用燃焼材を迎え火および送り火の双方に使用する際の利便性を向上することができる。
【００１６】
また、請求項５記載の盆行事用燃焼材によれば、シート体における他方の面に仏教に関する文字を印刷したことにより、例えば、使用前の盆行事用燃焼材や余った盆行事用燃焼材を仏具の一つとして祭壇や仏壇に収めて保管することができるため、燃焼材としての機能にこのような利用価値を付加することができる。
【００１７】
また、請求項６記載の盆行事用燃焼材によれば、燃焼前の状態において不可視でかつ燃焼時の熱によって可視化する不可視インクによって仏教に関する文字を印刷したことにより、仏教に関する文字が燃焼時に浮き上がるように可視化し、これによって荘厳な趣を醸し出すことができるため、盆行事用燃焼材の付加価値をさらに高めることができる。
【図面の簡単な説明】
【００１８】
【図１】燃焼材１の平面図である。
【図２】燃焼材１の裏面図である。
【図３】図柄Ｇ１が印刷されたシート体２の平面図である。
【図４】文字Ｇ２が印刷されたシート体２の平面図である。
【図５】燃焼材１の中間体２の製造工程を説明する説明図である。
【図６】燃焼材１の使用方法を説明する説明図である。
【発明を実施するための形態】
【００１９】
以下、本発明に係る盆行事用燃焼材の実施の形態について、添付図面を参照して説明する。
【００２０】
最初に、燃焼材（盆行事用燃焼材）１の構成について説明する。図１，２に示す燃焼材１は、盆行事としての迎え火や送り火（迎え火および送り火の少なくとも一方）を焚くための盆行事用の燃焼材として好適に構成されている。具体的には、燃焼材１は、燃焼可能な紙製のシート体２（図３参照）に対して、所定の図柄や文字の印刷、および所定の加工を行うことにより、例えば、縦３０ｃｍ、横２０ｃｍ程度の略長方形状に形成される。この場合、シート体２は、一例として、厚みが０．２ｍｍ〜０．３ｍｍ程度に形成されている。また、シート体２には、エンボス加工（プレス加工）が施されており、これによって図３，４に示すように、平面視形状が後述する図柄Ｇ１の模様に合致（ほぼ合致）する凹凸部２１がシート体２の一面（表面）２ａおよび他面（裏面）２ｂに形成されている。なお、シート体２の素材としての紙の種類（原料）は特に限定されないが、間伐材を原料とする紙や再生紙を用いることができ、このような紙を用いることで、環境保護および資源の有効利用に資することができる。
【００２１】
また、シート体２の一面２ａ（つまり、燃焼材１の一面１ａ）には、図１，３に示すように、樹皮の図柄Ｇ１が印刷されている。この燃焼材１では、樹皮を模した図柄Ｇ１の一例として、樺（カンバ）および白樺（シラカバまたはシラカンバ）などのカバノキ科の木の樹皮を模した図柄Ｇ１が採用されている。なお、同図では、白樺の樹皮を模した図柄Ｇ１を印刷した例を図示している。この場合、図３に示すように、図柄Ｇ１における樹皮の模様（筋目模様や節目模様）がシート体２の両面２ａ，２ｂに形成されている凹凸部２１に合致するように図柄Ｇ１が印刷されている。
【００２２】
ここで、この燃焼材１は、紙製のシート体２を用いて形成されているため、入手が困難な天然素材を用いる燃焼材とは異なり、環境保護に貢献しつつ十分な供給量を確保することができる。また、この燃焼材１では、樹皮を模した図柄Ｇ１が印刷されているため、燃焼材１の外観を天然の樹皮に近付けることができる。このため、天然の樹皮を乾燥させた燃焼材を用いるのが通例となっている地域の消費者に対して、この燃焼材１を違和感なく使用させることが可能となる。また、この燃焼材１では、平面視形状が図柄Ｇ１の模様に合致する凹凸部２１がシート体２の両面２ａ，２ｂに形成されているため、手触りの点においても燃焼材１を天然の樹皮に近付けることができる。このため、消費者に対してこの燃焼材１を一層違和感なく使用させることが可能となる。
【００２３】
また、図１〜図４に示すように、燃焼材１（シート体２）の中央部には、切断補助用のミシン目２２が形成されている。この場合、このミシン目２２に沿って切断することで、燃焼材１を複数（この場合の例では２つ）に分割することが可能となっている。さらに、シート体２の他面２ｂ（つまり、燃焼材１の他面１ｂ）には、図２，４に示すように、仏教に関する文字Ｇ２、具体的には、念仏、題目および経文などの文字Ｇ２が印刷されている。なお、同図では、「南無阿弥陀仏」の念仏の文字Ｇ２を印刷した例を図示している。この場合、この例では、ミシン目２２によって分割される他面２ｂにおける２つの領域に上記した文字Ｇ２がそれぞれ印刷されている。
【００２４】
また、この燃焼材１では、後述する製造工程においてシート体２の外周縁部をやや蛇行するように切断することにより、外周縁部が非直線的（波形）に形成されている。このため、外周縁部を直線的に形成した構成と比較して、燃焼材１の風合いが、天然の樹皮を乾燥させた燃焼材の風合いにより近付けられている。
【００２５】
次に、燃焼材１を製造する製造工程の一例について、図面を参照して説明する。
【００２６】
最初に、シート体２に対してエンボス加工を行うことにより、平面視形状が後述する図柄Ｇ１に合致（ほぼ合致）する凹凸部２１（図３，４参照）をシート体２の両面２ａ，２ｂに形成する。この場合、例えば、縦３０ｃｍ、横２０ｃｍ程度の長方形に切断したシート体２にエンボス加工を行って凹凸部２１を形成することもできるし、長尺のシート体２にエンボス加工を行って凹凸部２１を形成した後に、上記の寸法に切断することもできる。
【００２７】
次いで、図３に示すように、凹凸部２１を形成したシート体２の一面２ａに、例えば白樺の樹皮を模した図柄Ｇ１を印刷する。続いて、図４に示すように、図柄Ｇ１を印刷したシート体２の他面２ｂに、例えば「南無阿弥陀仏」の念仏の文字Ｇ２を印刷する。なお、上記したエンボス加工に先立って図柄Ｇ１および文字Ｇ２を印刷することもできる。
【００２８】
次いで、図３，４に示すように、両面２ａ，２ｂに図柄Ｇ１および文字Ｇ２をそれぞれ印刷したシート体２の中央部にミシン目２２を形成する。続いて、図１，２に示すように、ミシン目２２を形成を形成したシート体２の外周縁部を、抜き加工によってやや蛇行するように（波形に）切断する。なお、ミシン目２２を形成する前に抜き加工を行う（抜き加工を行った後にミシン目２２を形成する）こともできる。以上により、燃焼材１が完成する。
【００２９】
次いで、完成した燃焼材１を１枚または複数枚パッケージングして製品とする。なお、燃焼材１の使用方法（ミシン目２２に沿った切断方法や、着火の際の注意事項等）を説明する説明文、燃焼材１を用いることによる環境保護への貢献に関する説明文、および盆の由来を説明する説明文などを印刷した紙を燃焼材１と共にパッケージングしたり、これらの説明文を印刷したラベルをパッケージング材に貼付してもよい。また、図５に示すように、完成した燃焼材１を丸めて製品とすることもできる。この場合、天然の樹皮を乾燥させた燃焼材は、乾燥に伴ってカールした（丸まった）状態となる。このため、燃焼材１を丸めることで、燃焼材１の風合いを天然の樹皮を乾燥させた燃焼材の風合いに一層近付けることが可能となる。
【００３０】
次に、燃焼材１の使用例について、図面を参照して説明する。
【００３１】
例えば、１枚の燃焼材１で迎え火および送り火を焚くときには、燃焼材１を２つに分割する。この場合、この燃焼材１では、ミシン目２２が形成されているため、図６に示すように、ミシン目２２を境にして、一方の半体を他方の半体から引き離すことで、燃焼材１を容易に二分割することができる。次いで、分割した燃焼材１の一方の半体に着火して迎え火を焚く。この場合、紙製のシート体２を用いて燃焼材１が形成されているため、天然の樹皮を用いた燃焼材と比較して、着火を容易に行うことができる。また、紙製のシート体２を用いて形成されているため、燃焼材１が比較的短時間で燃え尽きて熾火になり難い結果、火の後始末が容易となる。
【００３２】
一方、分割した燃焼材１の残りの半体は、送り火を焚くときまで、保管することとなるが、この燃焼材１では、仏教に関する文字Ｇ２が他面２ｂに印刷されているため、その半体を仏具の一つとして祭壇や仏壇に収めておくこともできる。このように、この燃焼材１では、天然の樹皮を用いた燃焼材の代替品としての機能に加えて、このような利用価値が付加されている。
【００３３】
次に、送り火を焚くときには、保管しておいた燃焼材１の残りの半体を用いる。なお、１枚または複数枚の燃焼材１を用いて迎え火および送り火を焚いてもよく、この際には、燃焼材１の分割を省略することができる。また、例えば、複数枚の燃焼材１を入手して、余りが生じたときには、上記したようにその余りを仏具の一つとして祭壇や仏壇に収めておくことができると共に、翌年の迎え火・送り火の際にその余りを無駄なく使用することができる。
【００３４】
このように、この燃焼材１によれば、燃焼可能な紙製のシート体２を用いたことにより、入手が困難な天然素材を用いる燃焼材とは異なり、環境保護に貢献しつつ十分な供給量を確保することができる。また、この燃焼材１によれば、樹皮を模した図柄Ｇ１をシート体２の一面２ａに印刷したことにより、燃焼材１の外観を天然の樹皮に近付けることができるため、天然の樹皮を乾燥させた燃焼材を用いるのが通例となっている地域の消費者に対して、燃焼材１を違和感なく使用させることができる。
【００３５】
また、この燃焼材１によれば、カバノキ科の樹皮の図柄Ｇ１をシート体２の一面２ａに印刷したことにより、環境保護の観点から好ましくない面がありかつ入手が困難となりつつある白樺等のカバノキ科の樹皮を燃焼材として用いるのが通例となっている地域において、十分な供給量を確保しつつ、その地域の消費者に対して燃焼材１を違和感なく使用させることができると共に、入手が困難となっている樹木の保護に十分に寄与することができる。
【００３６】
また、この燃焼材１によれば、シート体２の両面２ａ，２ｂに凹凸部２１を形成したことにより、燃焼材１の手触りを天然の樹皮の手触りに近付けることができるため、消費者に対して燃焼材１を一層違和感なく使用させることができる。
【００３７】
また、この燃焼材１によれば、切断補助用のミシン目２２を形成したことにより、ミシン目２２を境にして、一方の半体を他方の半体から引き離すことで、燃焼材１を容易に二分割することができるため、１枚の燃焼材１を迎え火および送り火の双方に使用する際の利便性を向上することができる。
【００３８】
また、この燃焼材１によれば、シート体２の他面２ｂに仏教に関する文字Ｇ２を印刷したことにより、例えば、使用前の燃焼材１や余った燃焼材１を仏具の一つとして祭壇や仏壇に収めて保管することができるため、燃焼材としての機能にこのような利用価値を付加することができる。
【００３９】
なお、燃焼材１は、上記の構成に限定されず、適宜変更することができる。例えば、厚みが０．２ｍｍ〜０．３ｍｍ程度のシート体２を用いて燃焼材１を構成した例について上記したが、これに限定されず、任意の厚みのシート体２を用いることができる。また、シート体２の他面２ｂに印刷する文字Ｇ２は上記の例に限定されず、「南無大師遍照金剛」、「南無釈迦牟尼佛」および「南無観世音菩薩」などの他の念仏の文字Ｇ２や、「南無妙法蓮華経」等の題目の文字Ｇ２であってもよいし、「般若心経」などの経文の文字Ｇ２であってもよい。また、一面２ａおよび他面２ｂの両面に図柄Ｇ１を印刷する構成を採用することもできるし、図柄Ｇ１に重ねて文字Ｇ２を印刷する構成を採用することもできる。また、シート体２の他面２ｂに仏教に関する文字Ｇ２を印刷する構成に代えて、燃焼材１の使用方法（ミシン目２２に沿った切断方法や、着火の際の注意事項等）を説明する説明文、燃焼材１を用いることによる環境保護への貢献に関する説明文、および盆の由来を説明する説明文などを印刷する構成を採用することもできる。
【００４０】
さらに、燃焼前（使用前）の状態においては不可視で、燃焼時の熱によって可視化する不可視インクを用いて文字Ｇ２を印刷する構成を採用することもできる。この場合、このように構成することで、仏教に関する文字Ｇ２が燃焼時に浮き上がるように可視化し、これによって荘厳な趣を醸し出すことができるため、燃焼材１の付加価値をさらに高めることができる。また、油脂やロウなど可燃性材料をシート体２に含浸させて、着火性を高める構成を採用することもできる。
【００４１】
また、１本のミシン目２２を形成して燃焼材１を２つに分割可能に構成した例について上記したが、複数のミシン目２２を形成して燃焼材１を３以上に分割可能に構成することもできる。また、シート体２の外周縁部を、やや蛇行するように（波形に）切断する構成例について上記したが、外周縁部を直線的に切断する構成を採用することもできる。また、エンボス加工によって凹凸部２１を形成した例について上記したが、エンボス加工に代えて、バーコ印刷等の凹凸印刷によって図柄Ｇ１を印刷することで、印刷面（上記例では、一面２ａ）に凹凸部２１を形成する構成を採用することもできる。さらに、平面視形状が図柄Ｇ１の模様に合致（ほぼ合致）する凹凸部２１を形成する例について上記したが、これに限定されず、例えば平面視形状が筋状のなどの任意の形状の凹凸部２１を採用することができる。
【符号の説明】
【００４２】
１  燃焼材
２  シート体
１ａ，２ａ  一面
１ｂ，２ｂ  他面
２１  凹凸部
２２  ミシン目
Ｇ１  図柄
Ｇ２  文字
【図１】
2011019557.tif 000003
【図２】
2011019557.tif 000004
【図３】
2011019557.tif 000005
【図４】
2011019557.tif 000006
【図５】
2011019557.tif 000007
【図６】
2011019557.tif 000008